(57)【特許請求の範囲】
【請求項１】
流れ勾配を有する床面にパターンが間隔を有して縦横方向に多数配置されている浴室用洗場床パンであって、左パターンと右パターンとの間に縦目地が形成され、前パターンと後ろパターンとの間に横目地が形成され、各パターンはパターン周囲よりパターン中央部が高くなる山形状であり、縦目地は排水方向に直線的に傾斜しており、上記縦目地と横目地とのいずれか一方又はその両方に凸部が形成される浴室用洗場床パン。
【発明の詳細な説明】
【０００１】
【発明の属する技術分野】
この発明は、浴室、特に浴室ユニットに用いられるパターン入り浴室用洗場床パンに関するものである。
【０００２】
【従来の技術】
図６及び図７に従来例の洗場床パンを示した。浴室ユニットの洗場床パンは、排水溝側に向けて下降傾斜する床面２０に、縦リブ２７及び横リブ２８で囲んだ区画を多数備え、各区画内に約６０ｍｍ角のパターン２２を縦横に配置し、左右パターン間に縦目地２３を、前後パターン間に横目地２４を設けている。各パターン２２は、床面２０から起立する基部２２ｂと、基部２２ｂよりも一回り小さい（床面２０に平行な）パターン上面２２ａとの間に鏡面２２ｃを設け、全体が台形状を成し、パターン上面２２ａに凹凸の滑り止め２５を形成している。
【０００３】
【発明が解決しようとする課題】
洗場床パンは、上記したように排水溝側に下降傾斜しているので、洗場床パンを流れる雑排水（石鹸水、シャワー水、浴槽から溢れた温水等）の大部分は排水溝に排水される。しかし、雑排水の一部は洗場床パンを区分している横リブにて遮られ、横リブの手前に残りやすい。また、パターン上面はフラットであり、しかもパターン上面に凹凸の滑止め部を備えているため、ここに雑排水の一部が水滴として留まり（排水が不十分になり）やすかった。
本発明は、このような問題を解消しようとするものであり、その目的とするところは、水滴が留まりにくく、パターンや目地が早く乾きやすいパターン入り浴室用洗場床パンを提供することにある。
【０００４】
【課題を解決するための手段】
上記目的を達成するために、本発明の浴室用洗場床パンでは、次の構成をとる。すなわち、本発明の浴室用洗場床パンは、流れ勾配を有する床面１にパターン２が間隔を有して縦横方向に多数配置され、左パターン２Ａと右パターン２Ｂとの間には縦目地３が形成され、前パターン２Ｃと後パターン２Ｄとの間には横目地４が形成され、各パターン２はパターン周囲よりパターン中央部が高くなる山形状であり、縦目地３は排水方向に直線的に連続して傾斜しており、上記縦目地と横目地とのいずれか一方又はその両方に凸部が形成される浴室用洗場床パンである。
【０００５】
また、上記浴室用洗場床パンにおいて、縦目地３と横目地４との少なくとも一方に、水滴Ｗを薄膜化するための凸部７を設ける。
【０００６】
ここで「床面」とは、パターン及び目地を備え、排水側に向けて流れ勾配を有するものをいい、「パターン」とは、凹凸模様等の模様を有し平面形状は略方形又は略矩形の小区画をいう。各パターンについては、パターン周囲よりもパターン中央部が高い山形状であり、パターン上面には通常、滑り止めを有している。
また、「目地」には、パターンの左右に位置する縦目地と、パターンの前後に位置する横目地とがあり、縦目地は排水方向に連続し、横目地は縦目地と好ましくは直交する。
また、目地の「凸部」とは、目地に残った水滴に接し、表面張力によって球状化している水滴を薄膜化するものをいう。
【０００７】
【発明の実施の形態】
以下、添付図面により本発明を更に具体的に説明する。
図１は、本発明による浴室用洗場床パンの第一実施形態の平面図（イ）及びパターンの斜視図（ロ）であり、図２は第一実施形態の要部拡大の平面図（イ）及び縦断面図（ロ、ハ）である。
浴室用洗場床パンの第一実施形態を図１と図２に基づき説明する。排水溝９に向けて流れ勾配を有する床面１にパターン２を間隔を有して縦横方向に配置し、左パターン２Ａと右パターン２Ｂとの間に縦目地３を、前パターン２Ｃと後パターン２Ｄとの間に横目地４を設け、各パターン２Ａ，２Ｂ，２Ｃ，２Ｄはパターン周囲より中央部が高くなる山形状である。また、パターン上面２ａには滑り止め５を設け、横目地４は縦目地３に直交し、縦目地３は排水方向に直線的に連続している。
【０００８】
第一実施形態の浴室用洗場床パンは上記構造のとおりであるから、浴室ユニットに用いる場合、予め床面１に３０ｍｍ角程度のパターン２と、縦目地３と、横目地４とを設け、各パターン２は約０．３度の傾斜角度θで山形を形成し、パターン上面２ａに滑り止め５を設ける。パターン周囲と中央部との高低差ｔは約０．２ｍｍであり、縦目地３は排水溝９に向けて直線的に形成されている。
この浴室用洗場床パンを備えた浴室ユニットにおいてシャワーを使用したり、身体を洗ったりした場合、パターン２は山形状を成しているので、パターン上面２ａに水滴Ｗが残ることなく洗い排水は縦目地３及び横目地４に流れ落ちる。
横目地４に流れ落ちた排水は縦目地３に流れ、縦目地３に流れ落ちた排水は、横目地４に流れ落ちた排水と共に排水溝９に流れ込む。
【０００９】
図３は、第二実施形態の要部拡大の平面図（イ）及び縦断面図（ロ，ハ）である。第一実施形態と相違する点について説明する。図３のように、縦目地３と横目地４との幅中央部に、目地３，４に残った水滴Ｗを薄膜化する凸部７を適宜設けている。パターン２から縦目地３や横目地４に流れ落ちた排水の一部が、縦目地３や横目地４に水滴Ｗとして残った場合、水滴Ｗは表面張力により略球状を成すため、乾燥しにくいが、水滴Ｗが縦目地３や横目地４の凸部７に接すると、凸部７に沿って全体に広がり、薄膜状になるため、乾燥が早い。
【００１０】
図４は、パターン台を備えた浴室用洗場床パンの例（第三実施形態）である。図４に示されるように、床面１に一定広さのパターン台（小パターンが集まり形成された中パターン）６を縦横に配置し、左右のパターン台６Ａ，６Ｂ間に主縦目地１３を、前後のパターン台６Ｃ，６Ｄ間に主横目地１４を設け、各パターン台６にパターン２と縦目地３と横目地４とが設けられている。
【００１１】
図５は、半パターンを備えた浴室用洗場床パンの例（第四実施形態）である。前パターン２Ｃと後パターン２Ｄとの間に、図５のように、半パターン１２を設けている。半パターン１２はパターン２の１／２幅で、パターン２と同じ高さに形成し、且つパターン上面１２ａに滑り止め１５を設けておけば、排水が容易で、多様なデザインも可能になる。
【００１２】
パターン２の大きさは、約３０ｍｍ角に限定されるものではなく、その大きさと形状は自由であるし、またパターン２の傾斜角度θは約０．３度に限定されるものではない。約６０ｍｍ角のパターン２で傾斜角度θを約０．１１度にすることも可能である。傾斜角度は、水滴Ｗを残さず排水できる角度であればよい。
本発明の浴室用洗場床パンは浴室ユニットに好適に使用されるが、浴室ユニット以外の水周り、例えば、台所、トイレ、玄関、旧来浴室等の床面に用いることも可能である。
【００１３】
【発明の効果】
本発明の浴室用洗場床パンでは、縦横方向に配置した各パターンがパターン周囲より中央部が高くなる山形状を成しており、縦目地は排水方向に直線的に傾斜しているので、パターン上面に滑止め部があっても、排水は目地に効果的に流れ落ち、パターン上面が素早く乾燥して衛生的になる。
【００１４】
また、目地に凸部を設けた浴室用洗場床パンにあっては、雑排水の一部が水滴として目地に残りかけても、目地に設けた凸部に接して凸部全面に広がり薄膜化するため、乾燥が早まり、床パンは衛生的になる。
【図面の簡単な説明】
【図１】本発明による浴室用洗場床パンの第一実施形態を示す平面図（イ）とパターンの斜視図（ロ）である。
【図２】第一実施形態の要部拡大の平面図（イ）と縦断面図（ロ，ハ）である。
【図３】第二実施形態の要部拡大の平面図（イ）と縦断面図（ロ，ハ）である。
【図４】パターン台を備えた浴室用洗場床パン（第三実施形態）の平面図である。
【図５】半パターンを備えた浴室用洗場床パン（第四実施形態）の平面図（イ）と要部の斜視図（ロ）である。
【図６】従来例の洗場床パンの平面図である。
【図７】従来例の洗場床パンの要部斜視図（イ）とパターン上面の拡大縦断面図（ロ）である。
【符号の説明】
１，２０：床面
２，２Ａ，２Ｂ，２Ｃ，２Ｄ，２２：パターン、
１２：半パターン
２ａ，１２ａ，２２ａ：パターン上面、
２２ｂ：基部        ２２ｃ：鏡面
３，２３：縦目地    １３：主縦目地
４，２４：横目地    １４：主横目地
５，１５，２５：滑り止め
６，６Ａ，６Ｂ，６Ｃ，６Ｄ：パターン台
７：凸部          ９：排水溝２７：縦リブ      ２８：横リブ
Ｗ：水滴
ｔ：パターン周囲と中央部との高低差
θ：パターン上面の傾斜角度
【図１】
0003856195.tif 000002
【図２】
0003856195.tif 000003
【図３】
0003856195.tif 000004
【図４】
0003856195.tif 000005
【図５】
0003856195.tif 000006
【図６】
0003856195.tif 000007
【図７】
0003856195.tif 000008